(57)【要約】【課題】  ボルトのネジ山の修正を迅速に簡単且つ容易に行えるようにすると共に、コストの低減等を図る。【解決手段】  二分割した二つのダイス片２′，２′から成るダイス２と、先端側にダイス２を着脱自在に保持固定する開閉自在な保持部４Ａを有し、基端側に保持部４Ａを開閉操作する把持部４Ｂを備えたクリップ３とから構成したネジ山修正用工具１であって、前記クリップ３を、中間部分で回動自在に連結され、先端側にダイス片２′，２′を着脱自在に保持して保持部４Ａを形成する保持片４ａを有し、基端側に把持部４Ｂを形成する把持片４ｂを備えた一対の操作レバー４，４と、両操作レバー４，４の保持片４ａ，４ａに保持されたダイス片２′，２′を固定する固定ネジ５と、両操作レバー４，４間に介設され、対向する保持片４ａ，４ａを閉じる方向へ附勢して保持片４ａ，４ａに保持固定された両ダイス片２′，２′を環状に保持する弾性体６とから構成する。【選択図】      図１
2006175565.tif 000002
【特許請求の範囲】
【請求項１】
ネジ山を形成するダイス（２）と、先端部側にダイス（２）を着脱自在に保持固定する開閉自在な保持部（４Ａ）を有すると共に、基端部側に保持部（４Ａ）を開閉操作する開閉自在な把持部（４Ｂ）を備えたクリップ（３）とから構成したネジ山修正用工具（１）であって、前記ダイス（２）は、丸ダイス又は角ダイスを直径方向に二分割して形成した二つのダイス片（２′），（２′）から成り、又、前記クリップ（３）は、中間部分で回動自在に連結され、先端部側にダイス片（２′），（２′）を着脱自在に保持して保持部（４Ａ）を形成する保持片（４ａ）を有すると共に、基端部側に把持部（４Ｂ）を形成する把持片（４ｂ）を備えた一対の操作レバー（４），（４）と、両操作レバー（４），（４）の保持片（４ａ），（４ａ）に保持されたダイス片（２′），（２′）を保持片（４ａ），（４ａ）へ固定する固定ネジ（５）と、両操作レバー（４），（４）間に介設され、対向する保持片（４ａ），（４ａ）を閉じる方向へ附勢して保持片（４ａ），（４ａ）に保持固定された両ダイス片（２′），（２′）を環状に保持する弾性体（６）とから成り、両ダイス片（２′），（２′）を環状にする閉鎖位置と両ダイス片（２′），（２′）を離間させる開放位置とに亘って開閉自在に構成されていることを特徴とするネジ山修正用工具。
【請求項２】
ネジ山を形成するダイス（２）と、先端部側にダイス（２）を着脱自在に保持固定する開閉自在な保持部（４Ａ）を有すると共に、基端部側に保持部（４Ａ）を開閉操作する開閉自在な把持部（４Ｂ）を備えたクリップ（３）とから構成したネジ山修正用工具（１）であって、前記ダイス（２）は、丸ダイス又は角ダイスを直径方向に二分割して形成した二つのダイス片（２′），（２′）から成り、又、前記クリップ（３）は、中間部分で回動自在に連結され、先端部側にダイス片（２′），（２′）を着脱自在に保持して保持部（４Ａ）を形成する保持片（４ａ）を有すると共に、基端部側に把持部（４Ｂ）を形成する把持片（４ｂ）を備えた一対の操作レバー（４），（４）と、両操作レバー（４），（４）の保持片（４ａ），（４ａ）に保持されたダイス片（２′），（２′）を保持片（４ａ），（４ａ）へ固定する固定ネジ（５）と、両操作レバー（４），（４）間に介設され、対向する保持片（４ａ），（４ａ）を開く方向へ附勢する弾性体（６）と、両操作レバー（４），（４）間に設けられ、対向する保持片（４ａ），（４ａ）の間隔を段階的に調整して両保持片（４ａ），（４ａ）を所定の間隔に保持するラチェット機構（９）とから成り、両ダイス片（２′），（２′）を環状にする閉鎖位置と両ダイス片（２′），（２′）を離間させる開放位置とに亘って開閉自在に構成されていることを特徴とするネジ山修正用工具。
【請求項３】
両操作レバー（４），（４）の保持片（４ａ），（４ａ）を夫々ダイス片（２′），（２′）の外面に沿う形状に形成すると共に、両保持片（４ａ），（４ａ）の内面にダイス片（２′），（２′）の外周縁部の形状に合致してダイス片（２′），（２′）が着脱自在に嵌合される凹部（４ｃ）を夫々形成したことを特徴とする請求項１又は請求項２に記載のネジ山修正用工具。
【請求項４】
両操作レバー（４），（４）の保持片（４ａ），（４ａ）に固定ネジ（５）が挿通される複数の貫通穴（４ｇ）を夫々形成し、又、両ダイス片（２′），（２′）の外周面に保持片（４ａ），（４ａ）の貫通穴（４ｇ）に合致して固定ネジ（５）の先端部が螺着される複数の雌ネジ穴（２ｂ）を夫々形成したことを特徴とする請求項１、請求項２又は請求項３に記載のネジ山修正用工具。
【請求項５】
二つの操作レバー（４），（４）を合成樹脂材により同一の大きさで且つ同一の形状及び同一の構造に形成したことを特徴とする請求項１、請求項２、請求項３又は請求項４に記載のネジ山修正用工具。
【発明の詳細な説明】
【技術分野】
【０００１】
本発明は、例えば建築現場で使われているアンカーボルトや自動車等に使われている植込みボルト等のボルトのネジ山が潰れたり、錆びたりした場合にボルトのネジ山を正規の形状に修正するネジ山修正用工具に係り、特に、長いボルトであってもボルトの途中部分からネジ山の修正を行えるようにしたネジ山修正用工具に関するものである。
【背景技術】
【０００２】
一般に、建築現場や自動車修理工場等の作業現場に於いては、コンクリートに打ち込まれているアンカーボルトや自動車等に使われている植込みボルト等のボルトのネジ山が潰れたり、錆びたりしてボルトを使用できない場合、或いはボルトのネジ山に塗料やコンクリート等の異物が付着してボルトを使用できない場合には、通常ダイス及びダイスホルダー（図示省略）を用いてボルトのネジ山の修正を行うようにしている。
【０００３】
即ち、ダイス及びダイスホルダーを用いてボルトのネジ山の修正を行う場合、ダイスホルダーにダイスを固定し、ダイスの切り刃を修正しようとするボルトの先端に押し当て、この状態でダイスホルダーに設けた二本の棒状の取っ手を握ってダイスホルダー全体を回転させ、ダイス及びダイスホルダーをボルトに沿って順次移動させる。そうすると、ダイスがボルトの修正部分を通過する際、ダイスの機能によってボルトの潰れたネジ山や錆びたネジ山が正規の形状に修正されることになる。
【０００４】
しかし、ダイス及びダイスホルダーを用いたボルトのネジ山の修正は、ダイスをボルトの先端から螺挿し、ダイス及びダイスホルダーをボルトに沿ってネジ山の修正部分まで移動させなければならないため、長いボルトを修正する際に修正を必要とするネジ山がボルトの先端から遠い位置にある場合には、ダイス及びダイスホルダーを何十回、何百回も回転させなければならず、ネジ山の修正を短時間で簡単且つ容易に行えないと云う問題があった。然も、ボルトの先端に修正を必要とするネジ山がある場合には、ダイスにより新たに形成したボルト先端のネジ山と元々正常に形成されていたボルト下部のネジ山との位相を合致させることが極めて困難であり、ボルトのネジ山を正確に修正できないと云う問題もあった。
更に、ダイスホルダーは、二本の棒状の取っ手がダイスを中心にしてダイスの直径方向へ一直線状に配置されているため、ボルトのネジ山の修正作業時に広い回転半径が必要であった。その結果、取っ手の回転半径内に障害物があるような狭い場所では、ボルトのネジ山の修正作業を行えないと云う問題があった。
【０００５】
一方、この種の分野に於いては、従前からボルトのネジ山をボルトの途中部分から修正できるようにした器具が開発され、実開平１−９２３２４号公報として公開されている（特許文献１）。
即ち、前記器具２０（以下、ネジ山修正器２０と云う）は、図１４に示す如く、一部分を交差させて交差部分を軸部２１により回動自在に連結した一対の半体部材２２，２２と、両半体部材２２，２２の一側に夫々設けられ、ダイスを二分割した形状のダイス半体部２２ａ，２２ａと、両半体部材２２，２２の他側に夫々設けたグリップ半部２２ｂ，２２ｂと、両グリップ半部２２ｂ，２２ｂ間に設けられ、両ダイス半体部２２ａ，２２ａを閉じた状態に固定可能な固定機構部２３とから構成されている。
【０００６】
而して、前記ネジ山修正器２０を用いてボルトのネジ山を修正する場合には、先ず固定機構部２３を操作して両ダイス半体部２２ａ，２２ａの固定状態を解除し、両グリップ半部２２ｂ，２２ｂを外方へ広げて両ダイス半体部２２ａ，２２ａを開く。次に、両ダイス半体部２２ａ，２２ａ間に修正しようとするボルトの一部分（ネジ山に変形を生じていない部分）を挿入すると共に、両グリップ半部２２ｂ，２２ｂを閉じて両ダイス半体部２２ａ，２２ａに形成したダイス歯２２ｃ，２２ｃによってネジ山を挟み、この状態で固定機構部２３を操作して両ダイス半体部２２ａ，２２ａを閉じた状態に固定する。その後、両グリップ半部２２ｂ，２２ｂを手で握り、ネジ山修正器２０全体をボルトを中心にして回転させる。そうすると、両ダイス半体部２２ａ，２２ａのダイス歯２２ｃ，２２ｃによって潰れているネジ山が正規の形状に修正されることになる。
このネジ山修正器２０は、ダイス機能を有する両ダイス半体部２２ａ，２２ａが開閉可能な構造になっているため、ボルトのネジ山をボルトの途中部分からでも修正することができると云う優れた効果を奏することができる。
【０００７】
しかし、前記ネジ山修正器２０は、ダイス機能を有するダイス半体部２２ａ，２２ａが半体部材２２，２２の一側に一体的に設けられているため、ボルトの直径やネジのピッチ等が異なるボルトを修正する場合には、同じネジ山修正器２０を使用することができない。その結果、このネジ山修正器２０は、修正するボルトの直径やネジのピッチ等に応じてダイス半体部２２ａ，２２ａのサイズが異なる数種類の複数のネジ山修正器２０を用意しておく必要があり、コストの高騰を招くと共に、保管や持ち運びも行い難いと云う問題があった。然も、ダイス半体部２２ａ，２２ａのダイス歯２２ｃ，２２ｃが損傷したりした場合には、ネジ山修正器２０自体を破棄しなければならず、経済性にも劣ると云う問題があった。
又、ネジ山修正器２０は、両ダイス半体部２２ａ，２２ａの固定・解除を行う固定機構部２３が、一方のグリップ半部２２ｂに回動自在に設けた固定シャフト２３ａと、固定シャフト２３ａの先端部に設けたボルト部に螺合する固定ナット２３ｂと、他方のグリップ半部２２ｂに形成した割溝２３ｃ等から構成されているため、両ダイス半体部２２ａ，２２ａの固定・解除を行う際には、固定ナット２３ｂを緩めて固定シャフト２３ａをグリップ半部２２ｂに形成した割溝２３ｃから抜いたり、固定シャフト２３ａをグリップ半部２２ｂの割溝２３ｃに挿入して固定ナット２３ｂで締め付けたりする必要がある。その結果、このネジ山修正器２０は、両ダイス半体部２２ａ，２２ａの固定・解除に手数が掛かり、ボルトのネジ山の修正を迅速に行えないと云う問題があった。特に、修正するボルトの本数が多い場合には、前記問題がより一層顕著に現れることになる。
【特許文献１】実開平１−９２３２４号公報
【発明の開示】
【発明が解決しようとする課題】
【０００８】
本発明は、このような問題点に鑑みて為されたものであり、その目的はボルトの途中部分からでもネジ山の修正を行えると共に、ボルトのネジ山の修正を迅速に簡単且つ容易に行え、然も、取扱性や操作性に優れていると共に、コストの低減等を図れるようにしたネジ山修正用工具を提供することにある。
【課題を解決するための手段】
【０００９】
上記目的を達成するために、本発明の請求項１の発明は、ネジ山を形成するダイスと、先端部側にダイスを着脱自在に保持固定する開閉自在な保持部を有すると共に、基端部側に保持部を開閉操作する開閉自在な把持部を備えたクリップとから構成したネジ山修正用工具であって、前記ダイスは、丸ダイス又は角ダイスを直径方向に二分割して形成した二つのダイス片から成り、又、前記クリップは、中間部分で回動自在に連結され、先端部側にダイス片を着脱自在に保持して保持部を形成する保持片を有すると共に、基端部側に把持部を形成する把持片を備えた一対の操作レバーと、両操作レバーの保持片に保持されたダイス片を保持片へ固定する固定ネジと、両操作レバー間に介設され、対向する保持片を閉じる方向へ附勢して保持片に保持固定された両ダイス片を環状に保持する弾性体とから成り、両ダイス片が環状になる閉鎖位置と両ダイス片が離間する開放位置とに亘って開閉自在に構成したことに特徴がある。
【００１０】
本発明の請求項２の発明は、ネジ山を形成するダイスと、先端部側にダイスを着脱自在に保持固定する開閉自在な保持部を有すると共に、基端部側に保持部を開閉操作する開閉自在な把持部を備えたクリップとから構成したネジ山修正用工具であって、前記ダイスは、丸ダイス又は角ダイスを直径方向に二分割して形成した二つのダイス片から成り、又、前記クリップは、中間部分で回動自在に連結され、先端部側にダイス片を着脱自在に保持して保持部を形成する保持片を有すると共に、基端部側に把持部を形成する把持片を備えた一対の操作レバーと、両操作レバーの保持片に保持されたダイス片を保持片へ固定する固定ネジと、両操作レバー間に介設され、対向する保持片を開く方向へ附勢する弾性体と、両操作レバー間に設けられ、対向する保持片の間隔を段階的に調整して両保持片を所定の間隔に保持するラチェット機構とから成り、両ダイス片が環状になる閉鎖位置と両ダイス片が離間する開放位置とに亘って開閉自在に構成したことに特徴がある。
【００１１】
本発明の請求項３の発明は、両操作レバーの保持片を夫々ダイス片の外面に沿う形状に形成すると共に、両保持片の内面にダイス片の外周縁部の形状に合致してダイス片が着脱自在に嵌合される凹部を夫々形成したことに特徴がある。
【００１２】
本発明の請求項４の発明は、両操作レバーの保持片に固定ネジが挿通される複数の貫通穴を夫々形成し、又、両ダイス片の外周面に保持片の貫通穴に合致して固定ネジの先端部が螺着される複数の雌ネジ穴を夫々形成したことに特徴がある。
【００１３】
本発明の請求項５の発明は、二つの操作レバーを合成樹脂材により同一の大きさで且つ同一の形状及び同一の構造に形成したことに特徴がある。
【発明の効果】
【００１４】
本発明の請求項１及び請求項２のネジ山修正用工具は、丸ダイス又は角ダイスを直径方向に二分割して形成した二つのダイス片から成る半割り状のダイスと、半割り状のダイスを着脱自在に保持固定する開閉自在な保持部を有するクリップとから構成しているため、クリップの保持部に保持固定しているダイスを内径やネジのピッチ等が異なる別の半割り状のダイスと交換することができる。そのため、本発明の請求項１及び請求項２のネジ山修正用工具は、修正するボルトの直径やネジのピッチ等が変わった場合には、半割り状のダイスのみを交換すれば良く、従来のネジ山修正器のように複数のネジ山修正器を用意しておく必要もなく、ネジのピッチ等が異なるダイスのみを用意しておけば良い。その結果、本発明の請求項１及び請求項２のネジ山修正用工具は、従来のネジ山修正器に比較してコスト低減を図れると共に、保管や持ち運びも行い易くなり、取扱性に優れたものとなる。然も、本発明の請求項１及び請求項２のネジ山修正用工具は、ダイスの切り刃が損傷したりした場合には、ダイスのみを新しいものと交換すれば、再び使用することができるため、ネジ山修正用工具自体を破棄したりする必要もなく、経済性にも優れたものとなる。
又、本発明の請求項１のネジ山修正用工具は、クリップを両ダイス片が環状になる閉鎖位置と両ダイス片が離間する開放位置とに亘って開閉自在に構成すると共に、当該クリップを弾性体により閉鎖位置へ附勢保持する構成としているため、ボルトのネジ山を修正する際には、クリップを弾性体の附勢力に抗して開放位置へ開放し、離間した両ダイス片間にボルトを挿入した後、弾性体の弾性力を利用してクリップを閉鎖位置へ閉じれば、両ダイス片でボルトのネジ山を挟むことができる。その結果、本発明の請求項１のネジ山修正用工具は、従来のネジ山修正器のようにボルトを修正する際に固定機構部を一々操作したりする必要もなく、クリップを弾性体の附勢力に抗して開いたりするだけで良く、ボルトの修正を迅速に簡単且つ容易に行えると共に、操作性にも優れたものとなる。
更に、本発明の請求項２のネジ山修正用工具は、クリップを両ダイス片が環状になる閉鎖位置と両ダイス片が離間する開放位置とに亘って開閉自在に構成し、当該クリップを弾性体により開放位置へ附勢保持すると共に、クリップの保持部を形成する対向状の保持片の間隔をクリップに設けたラチェット機構により段階的に調整して両保持片を所定の間隔に保持する構成としているため、ボルトのネジ山を修正する際には、弾性体により開放位置へ附勢保持されたクリップの離間した両ダイス片間にボルトを挿入した後、弾性体の附勢力に抗してクリップを閉鎖位置へ閉じれば、両ダイス片がボルトのネジ山を挟むと共に、両ダイス片を保持固定する保持片がラチェット機構により所定の間隔で保持される。その結果、本発明の請求項２のネジ山修正用工具は、従来のネジ山修正器のようにボルトを修正する際に固定機構部を一々操作したりする必要もなく、クリップを弾性体の附勢力に抗して閉じたりするだけで良く、ボルトの修正を迅速に簡単且つ容易に行えると共に、操作性にも優れたものとなる。
【００１５】
本発明の請求項３乃至請求項５のネジ山修正用工具は、上記効果に加えて更に次のような効果を奏することができる。
即ち、本発明の請求項３のネジ山修正用工具は、クリップの保持部を形成する保持片をダイス片の外面に沿う形状に形成すると共に、保持片の内面にダイス片の外周縁部の形状に合致してダイス片が着脱自在に嵌合される凹部を形成する構成としているため、ダイス片を保持片に保持固定する際にダイス片が保持片から脱落し難くなり、ダイス片の保持片への保持固定を円滑且つスムースに行える。
又、本発明の請求項４のネジ山修正用工具は、クリップの保持部を形成する保持片に固定ネジが挿通される複数の貫通穴を形成し、又、ダイス片の外周面に保持片の貫通穴に合致して固定ネジの先端部が螺着される複数の雌ネジ穴を形成する構成としているため、ダイス片を複数本の固定ネジで保持片へ固定することができ、ダイス片の保持片への保持固定を確実に行える。
更に、本発明の請求項５のネジ山修正用工具は、クリップを構成する二つの操作レバーを合成樹脂材により同一の大きさで且つ同一の形状及び同一の構造に形成しているため、クリップを形成する金型の種類が少なくて済み、製造コストの大幅な低減を図れる。
【発明を実施するための最良の形態】
【００１６】
図１及び図２は本発明の第１の実施形態に係るネジ山修正用工具１を示し、当該ネジ山修正用工具１は、建築現場で使われているアンカーボルトや自動車に使われている植込みボルト等のボルトのネジ山が潰れたり、錆びたりした際にネジ山を正規の形状に修正するものであり、長いボルトであってもボルトの途中部分からネジ山の修正を行えると共に、ネジ山の修正も迅速に簡単且つ容易に行えるようにしたものである。
【００１７】
即ち、前記ネジ山修正用工具１は、ネジ山を形成する半割り状のダイス２と、先端部側に半割り状のダイス２を着脱自在に保持固定する開閉自在な保持部４Ａを有すると共に、基端部側に保持部４Ａを開閉操作する開閉自在な把持部４Ｂを備えたクリップ３とから構成されており、クリップ３を開閉操作することによって半割り状のダイス２を開いたり、閉じたりすることができるようになっている。
【００１８】
具体的には、前記ダイス２は、図４に示す如く、内周縁部に等角度毎に切り刃２ａを設けた丸ダイスを直径方向に二分割して形成した半円状の二つのダイス片２′，２′から成り、各ダイス片２′，２′の外周面には、一定の間隔を空けて二つの雌ネジ穴２ｂがダイス２の半径方向へ夫々形成されている。
このダイス２には、外径寸法が同じで内径やネジのピッチ、ネジの種類等が異なるものが数種類用意されており、これらのダイス２は修正しようとするボルトの外径、ネジのピッチ、ネジの種類等に応じて適宜に取り替えられる。
【００１９】
一方、前記クリップ３は、中間部分で回動自在に連結され、先端部側にダイス片２′，２′を着脱自在に保持して保持部４Ａを形成する保持片４ａを有すると共に、基端部側に把持部４Ｂを形成する把持片４ｂを備えた一対の操作レバー４，４と、両操作レバー４，４の保持片４ａ，４ａに夫々保持されたダイス片２′，２′を保持片４ａ，４ａへ固定する固定ネジ５と、両操作レバー４，４間に介設され、対向する保持片４ａ，４ａを閉じる方向へ附勢して両保持片４ａ，４ａに保持固定された両ダイス片２′，２′を環状に保持する弾性体６とから成り、両ダイス片２′，２′が環状になる閉鎖位置（図１参照）と両ダイス片２′，２′が離間する開放位置（図２参照）とに亘って開閉自在に構成されている。
【００２０】
具体的には、一対の操作レバー４，４は、図５乃至図８に示す如く、合成樹脂材により同一の大きさで且つ同一の形状及び同一の構造に形成されており、ダイス片２′，２′の外面に沿う円弧形状に形成され、その内周面にダイス片２′，２′の外周縁部の形状に合致してダイス片２′，２′が着脱自在に嵌合される凹部４ｃ，４ｃを形成した保持片４ａ，４ａと、保持片４ａ，４ａの一端部に傾斜姿勢で連設された直線形状の把持片４ｂ，４ｂと、保持片４ａ，４ａと把持片４ｂ，４ｂの境界部分に対峙状に連設され、貫通状の軸穴４ｄ，４ｄを形成した厚肉のボス部４ｅ，４ｅ及び薄肉のボス部４ｆ，４ｆとを夫々備えている。
又、両操作レバー４，４の保持片４ａ，４ａには、ダイス片２′，２′を保持片４ａ，４ａの凹部４ｃ，４ｃへ固定するための固定ネジ５が挿通される貫通穴４ｇ，４ｇが一定の間隔で形成されている。この貫通穴４ｇ，４ｇは、保持片４ａ，４ａの凹部４ｃ，４ｃに嵌合されたダイス片２′，２′の雌ネジ穴２ｂ，２ｂに合致するように保持片４ａ，４ａに形成されており、固定ネジ５のネジ部が挿通される小径孔と固定ネジ５の頭部が収容される大径孔とから成る段付きの貫通穴４ｇ，４ｇとなっている。
【００２１】
そして、一対の操作レバー４，４は、一方の操作レバー４の厚肉のボス部４ｅを他方の操作レバー４の薄肉のボス部４ｆに、又、一方の操作レバー４の薄肉のボス部４ｆを他方の操作レバー４の厚肉のボス部４ｅに夫々軸穴４ｄ，４ｄ同士が合致するように重ね合わせ、各ボス部４ｅ，４ｆにボルト７を挿通してボルト７の先端部にナット８を螺着して締め付けることによって、中間部分に形成したボス部４ｅ，４ｆを中心にして回動自在に連結されることになる。このとき、対向する保持片４ａ，４ａによりクリップ３の先端部側に開閉自在な環状の保持部４Ａが形成されると共に、対向する把持片４ｂ，４ｂによりクリップ３の基端部側に開閉自在な把持部４Ｂが形成される。又、保持部４Ａは、閉じたときに保持片４ａ，４ａの先端同士が当接して位置決めされ、全体が環状形状となる。
【００２２】
前記固定ネジ５は、六角穴付きボルトから成り、そのネジ部を操作レバー４，４の保持片４ａ，４ａに形成した貫通穴４ｇ，４ｇに挿通し、ネジ部の先端部を保持片４ａ，４ａの凹部４ｃ，４ｃに嵌合したダイス片２′，２′の雌ネジ穴２ｂ，２ｂへ螺着することによって、ダイス片２′，２′を保持片４ａ，４ａの凹部４ｃ，４ｃへ保持固定することができる。
【００２３】
前記弾性体６は、図７及び図８に示す如く、両端部が略直線状に形成されたコイルスプリングから成り、コイル部分がボルト７に装着されていると共に、直線状の一端部が一方の操作レバー４の把持片４ｂの内面に、又、直線状の他端部が他方の操作レバー４の把持片４ｂの内面に夫々弾性的に係止されている。
そのため、一対の操作レバー４，４は、対向する保持片４ａ，４ａが弾性体６の弾性力により閉じる方向へ附勢されることになり、対向する保持片４ａ，４ａが環状に形成されることになる（図５参照）。その結果、両保持片４ａ，４ａに保持固定された両ダイス片２′，２′も環状に保持されることになる。又、一対の操作レバー４，４は、対向する把持片４ｂ，４ｂを握って弾性体６の弾性力に抗して近接させると、保持片４ａ，４ａがボルト７を中心にして開く方向へ回動して離間することになる（図６参照）。即ち、クリップ３は、両ダイス片２′，２′が環状になる閉鎖位置（図１参照）と両ダイス片２′，２′が離間する開放位置（図２参照）とに亘って開閉自在となる。
【００２４】
次に、上述したネジ山修正用工具１を用いてアンカーボルトや植込みボルト等のボルトの潰れたネジ山や錆びたネジ山を修正する場合について説明する。
先ず、クリップ３の把持部４Ｂを弾性体６の弾性力に抗して閉じる方向へ握って保持部４Ａを開き、クリップ３を両ダイス片２′，２′が離間する開放位置に保持する。この状態で両ダイス片２′，２′を修正しようとするボルトの周囲に位置させ、把持部４Ｂを握っている力を徐々に緩めて行く。そうすると、クリップ３の操作レバー４，４が弾性体６の弾性力により保持部４Ａを閉じる方向へ回動し、クリップ３が開放位置から閉鎖位置になり、クリップ３の保持部４Ａに保持された両ダイス片２′，２′がボルトの一部分を挾持する。このとき、両ダイス片２′，２′は、ボルトのネジ山が正常に形成されている部分で且つネジ山が潰れたり、錆びたりしている部分の近傍位置を挾持する。又、両ダイス片２′，２′は、ボルトの一部分を挾持したときにはダイス片２′，２′の切り刃２ａがボルトのネジ山と螺合していることは勿論である。
【００２５】
次に、両ダイス片２′，２′がボルトを挾持している状態でクリップ３の把持部４Ｂを持ち、ネジ山修正用工具１全体をボルトを中心にして回し、ボルトと螺合しているダイス２をボルトの潰れているネジ山や錆びているネジ山の方へ移動させ、修正を必要とする部分を通過させる。そうすると、ダイス２の機能によって、潰れているネジ山や錆びているネジ山が正規の形状に修正される。
【００２６】
このネジ山修正用工具１は、半割り状のダイス２をクリップ３の開閉自在な保持部４Ａで保持固定し、前記クリップ３を両ダイス片２′，２′が環状になる閉鎖位置と両ダイス片２′，２′が離間する開放位置とに亘って開閉自在に構成すると共に、当該クリップ３を弾性体６により閉鎖位置へ附勢保持する構成としているため、ボルトのネジ山を修正する際には、弾性体６の附勢力に抗してクリップ３を開放位置へ開放し、離間した両ダイス片２′，２′の間にボルトを挿入した後、弾性体６の弾性力を利用してクリップ３を閉鎖位置へ閉じれば、両ダイス片２′，２′でボルトのネジ山を挟むことができる。その結果、このネジ山修正用工具１は、ボルトを修正する際にクリップ３を弾性体６の附勢力に抗して開いたりするだけで良く、ボルトの修正を迅速に行えると共に、操作性にも優れたものとなる。
又、このネジ山修正用工具１は、ダイス２が開閉可能な構造になっているため、長いボルトのネジ山を修正する際に修正を必要とするネジ山がボルトの先端から遠い位置にある場合でも、ボルトの修正しようとするネジ山の近傍位置にダイス２を装着することができ、ネジ山修正用工具１をボルトに対して何十回も回転させたりする必要がなく、ネジ山の修正を短時間で簡単且つ容易に行える。
更に、このネジ山修正用工具１は、ダイス２をボルトの正常なネジ山を形成した部分に装着しているため、ダイス２により新たに形成されたネジ山が元々正常に形成されていたネジ山に連続して形成されることになり、ネジ山の位相がずれると云うことがなく、ボルトのネジ山の修正を正確に行える。
【００２７】
そして、修正しようとするボルトの直径やネジのピッチ等が変わった場合には、クリップ３に保持固定しているダイス２を取り外し、修正しようとするボルトに合う新しい半割り状のダイス２をクリップ３の保持部４Ａに取り付け、当該ダイス２によりボルトのネジ山を修正する。
【００２８】
このネジ山修正用工具１は、クリップ３の保持部４Ａに保持固定しているダイス２をネジのピッチ等が異なる別の半割り状のダイス２と交換することができるため、修正するボルトの直径やネジのピッチ、ネジの種類等が変わった場合には、半割り状のダイス２のみを交換すれば良く、複数のネジ山修正用工具１を用意しておく必要もなく、内径やネジのピッチ等が異なるダイス２のみを用意しておけば良い。その結果、このネジ山修正用工具１は、コスト低減を図れると共に、保管や持ち運びも行い易くなり、取扱性に優れたものとなる。
又、このネジ山修正用工具１は、ダイス２の切り刃２ａが損傷したりした場合には、ダイス２のみを新しいものと交換すれば良く、ネジ山修正用工具１自体を破棄する必要もなくなり、経済性にも優れたものとなる。
更に、このネジ山修正用工具１は、クリップ３の両操作レバー４，４の保持片４ａ，４ａを夫々ダイス片２′，２′の外面に沿う形状に形成すると共に、両保持片４ａ，４ａの内面にダイス片２′，２′の外周縁部の形状に合致してダイス片２′，２′が着脱自在に嵌合される凹部４ｃ，４ｃを夫々形成しているため、ダイス片２′，２′を保持部４Ａに保持固定する際にダイス片２′，２′が保持部４Ａから脱落し難くなり、ダイス片２′，２′の保持部４Ａへの保持固定を円滑且つスムースに行える。
【００２９】
図９及び図１０は本発明の第２の実施形態に係るネジ山修正用工具１を示し、当該ネジ山修正用工具１は、ネジ山を形成する半割り状のダイス２と、先端部側に半割り状のダイス２を着脱自在に保持固定する開閉自在な保持部４Ａを有すると共に、基端部側に保持部４Ａを開閉操作する開閉自在な把持部４Ｂを備えたクリップ３とから構成されており、クリップ３にラチェット機構９を設け、クリップ３の保持部４Ａの開閉度合いを調整できるようにしたものである。
【００３０】
具体的には、前記ダイス２は、図９及び図１０に示す如く、内周縁部に等角度毎に切り刃２ａを設けた丸ダイスを直径方向に二分割して形成した半円状の二つのダイス片２′，２′から成り、各ダイス片２′，２′の外周面には、一定の間隔を空けて二つの雌ネジ穴２ｂがダイス２の半径方向へ夫々形成されている。
このダイス２には、外径寸法が同じで内径やネジのピッチ、ネジの種類等が異なるものが数種類用意されており、これらのダイス２は修正しようとするボルトの外径、ネジのピッチ、ネジの種類等に応じて適宜に取り替えられる。
【００３１】
一方、前記クリップ３は、中間部分で回動自在に連結され、先端部側にダイス片２′，２′を着脱自在に保持して保持部４Ａを形成する保持片４ａを有すると共に、基端部側に把持部４Ｂを形成する把持片４ｂを備えた一対の操作レバー４，４と、両操作レバー４，４の保持片４ａ，４ａに夫々保持されたダイス片２′，２′を保持片４ａ，４ａへ固定する固定ネジ５と、両操作レバー４，４間に介設され、対向する保持片４ａ，４ａを開く方向へ附勢して両保持片４ａ，４ａに保持固定された両ダイス片２′，２′を離間状態に保持する弾性体６と、両操作レバー４，４間に設けられ、対向する保持片４ａ，４ａの間隔を段階的に調整して両保持片４ａ，４ａを所定の間隔に保持するラチェット機構９とから成り、両保持片４ａ，４ａに保持された両ダイス片２′，２′が環状になる閉鎖位置（図１０参照）と両ダイス片２′，２′が離間する開放位置（図９参照）とに亘って開閉自在に構成されている。
【００３２】
具体的には、一対の操作レバー４，４は、図９乃至図１１に示す如く、合成樹脂材により夫々形成されており、ダイス片２′，２′の外面に沿う円弧形状に形成され、その内周面にダイス片２′，２′の外周縁部の形状に合致してダイス片２′，２′が着脱自在に嵌合される凹部４ｃ，４ｃを形成した保持片４ａ，４ａと、保持片４ａ，４ａの一端部に連設され、貫通状の軸穴４ｄ，４ｄを形成した連結部４ｈ，４ｈと、連結部４ｈ，４ｈに傾斜姿勢で連設された直線形状の把持片４ｂ，４ｂとを夫々備えている。
又、両操作レバー４，４の保持片４ａ，４ａには、ダイス片２′，２′を保持片４ａ，４ａの凹部４ｃ，４ｃへ固定するための固定ネジ５が挿通される貫通穴４ｇ，４ｇが一定の間隔で形成されている。この貫通穴４ｇ，４ｇは、保持片４ａ，４ａの凹部４ｃ，４ｃに嵌合されたダイス片２′，２′の雌ネジ穴２ｂ，２ｂに合致するように保持片４ａ，４ａに形成されており、固定ネジ５のネジ部が挿通される小径孔と固定ネジ５の頭部が収容される大径孔とから成る段付きの貫通穴４ｇ，４ｇとなっている。
更に、一方の操作レバー４の連結部４ｈには、当該連結部４ｈへ他方の操作レバー４の保持片４ａ及び連結部４ｈを順次挿入できるように開口４ｉが形成されている。この開口４ｉの幅は、他方の操作レバー４の保持片４ａ及び連結部４ｈの幅よりも広めに設定されており、当該開口４ｉ内に他方の操作レバー４の保持片４ａ及び連結部４ｈが遊嵌状態で挿入されるようになっている。
【００３３】
そして、一対の操作レバー４，４は、一方の操作レバー４の連結部４ｈに形成した開口４ｉに他方の操作レバー４の保持片４ａ及び連結部４ｈを順次挿入し、両連結部４ｈ，４ｈに形成した軸穴４ｄ，４ｄ同士が合致するように両連結部４ｈ，４ｈを交差させ、この状態で各軸穴４ｄ，４ｄに連結軸１０を挿着することによって、中間部分に形成した連結部４ｈ，４ｈを中心にして回動自在に連結されることになる。このとき、対向する保持片４ａ，４ａによりクリップ３の先端部側に開閉自在な環状の保持部４Ａが形成されると共に、対向する把持片４ｂ，４ｂによりクリップ３の基端部側に開閉自在な把持部４Ｂが形成される。
【００３４】
前記固定ネジ５は、六角穴付きボルトから成り、そのネジ部を操作レバー４，４の保持片４ａ，４ａに形成した貫通穴４ｇ，４ｇに挿通し、ネジ部の先端部を保持片４ａ，４ａの凹部４ｃ，４ｃに嵌合したダイス片２′，２′の雌ネジ穴２ｂ，２ｂへ螺着することによって、ダイス片２′，２′を保持片４ａ，４ａの凹部４ｃ，４ｃへ保持固定することができる。
【００３５】
前記弾性体６は、図９乃至図１１に示す如く、両端部が略直線状に形成されたコイルスプリングから成り、コイル部分が連結軸１０に装着されていると共に、直線状の一端部が一方の操作レバー４の把持片４ｂの内面に、又、直線状の他端部が他方の操作レバー４の把持片４ｂに設けたラチェット機構９の係止片１２に夫々弾性的に係止されている。
そのため、一対の操作レバー４，４は、交差状態で連結されていることとも相まって、対向する保持片４ａ，４ａが弾性体６の弾性力により開く方向へ附勢されることになり、対向する保持片４ａ，４ａが常時離間した状態となっている（図９参照）。又、一対の操作レバー４，４は、対向する把持片４ｂ，４ｂを握って弾性体６の弾性力に抗して近接させると、離間している保持片４ａ，４ａが連結軸１０を中心にして閉じる方向へ回動して近接することになる（図１０参照）。その結果、両保持片４ａ，４ａに保持固定された両ダイス片２′，２′が環状に保持されることになる。即ち、クリップ３は、両ダイス片２′，２′が離間する開放位置（図９参照）と両ダイス片２′，２′が環状になる閉鎖位置（図１０参照）とに亘って開閉自在となる。
【００３６】
前記ラチェット機構９は、対向する保持片４ａ，４ａの間隔を段階的に調整して両保持片４ａ，４ａを所定の間隔に保持するものであり、図１１に示す如く、開口４ｉを形成した操作レバー４とは別の操作レバー４の連結部４ｈ（この部分は中空に形成されている）に嵌着され、外周面に一定のピッチで形成した複数の歯１１ａが連結軸１０を中心にして同一円周上に配置されたギヤ１１と、開口４ｉを形成した操作レバー４の連結部４ｈと把持片４ｂの境界部分（この部分は中空に形成されている）に設けた支持軸４ｊ（この支持軸４ｊは操作レバー４と一体的に形成されている）に揺動自在に支持され、先端部にギヤ１１の歯１１ａに係脱自在に係止される係止爪１２ａを有すると共に、係止爪１２ａが常時ギヤ１１の歯１１ａに係止されるように弾性体６（コイルスプリング）により附勢された係止片１２とから成る。
又、このラチェット機構９は、クリップ３の保持部４Ａ及び把持部４Ｂを閉じるときには係止片１２の係止爪１２ａがギヤ１１の歯１ａの上を滑りながら移動してギヤ１１の各歯１１ａに順次係止されて行くと共に、クリップ３の保持部４Ａ及び把持部４Ｂを閉じるのを止めたときには係止爪１２ａがギヤ１１の歯１１ａに係止されて保持部４Ａの両保持片４ａ，４ａを所定の間隔に保持するように構成されている。この状態で係止片１２を揺動させて係止爪１２ａとギヤ１１の歯１１ａの係止状態を解除すると、クリップ３の両操作レバー４，４が弾性体６の弾性力により保持部４Ａ及び把持部４Ｂを開く方向へ回動することになる。
【００３７】
次に、上述したネジ山修正用工具１を用いてアンカーボルトや植込みボルト等のボルトの潰れたネジ山や錆びたネジ山を修正する場合について説明する。
先ず、クリップ３の保持部４Ａ及び把持部４Ｂをラチェット機構９により開いた状態に保持し、この状態で両ダイス片２′，２′を修正しようとするボルトの周囲に位置させ、クリップ３の把持部４Ｂを弾性体６の弾性力に抗して閉じる方向へ握って保持部４Ａを閉じて行く。このとき、クリップ３の保持部４Ａは、ラチェット機構９により段階的に閉じて行く。
【００３８】
クリップ３の保持部４Ａを閉じて行き、クリップ３が開放位置から閉鎖位置になると、クリップ３の保持部４Ａに保持された両ダイス片２′，２′がボルトの一部分を挾持すると共に、ラチェット機構９により保持部４Ａの両保持片４ａ，４ａが一定の間隔に保持される。このとき、両ダイス片２′，２′は、ボルトのネジ山が正常に形成されている部分で且つネジ山が潰れたり、錆びたりしている部分の近傍位置を挾持する。又、両ダイス片２′，２′は、ボルトの一部分を挾持したときにはダイス片２′，２′の切り刃２ａがボルトのネジ山と螺合していることは勿論である。
【００３９】
次に、両ダイス片２′，２′がボルトを挾持している状態でクリップ３の把持部４Ｂを持ち、ネジ山修正用工具１全体をボルトを中心にして回し、ボルトと螺合しているダイス２をボルトの潰れているネジ山や錆びているネジ山の方へ移動させ、修正を必要とする部分を通過させる。そうすると、ダイス２の機能によって、潰れているネジ山や錆びているネジ山が正規の形状に修正される。
【００４０】
そして、修正しようとするボルトの直径やネジのピッチ等が変わった場合には、クリップ３に保持固定しているダイス２を取り外し、修正しようとするボルトに合う新しい半割り状のダイス２をクリップ３の保持部４Ａに取り付け、当該ダイス２によりボルトのネジ山を修正する。
このネジ山修正用工具１も、図１に示すネジ山修正用工具１と同様の作用効果を奏することができる。
【００４１】
図１２は本発明の第３の実施形態に係るネジ山修正用工具１を示し、当該ネジ山修正用工具１は、ダイス２を六角形のダイスを直径方向に二分割して形成した二つのダイス片２′，２′から構成し、又、両操作レバー４，４の保持片４ａ，４ａの形状を六角形の角ダイスの外面に沿う形状に形成すると共に、両保持片４ａ，４ａの内面に角形のダイス片２′，２′の外周縁部の形状に合致してダイス片２′，２′が着脱自在に嵌合される凹部４ｃ，４ｃを形成したものである。
このネジ山修正用工具１は、ダイス２の形状及び保持片４ａ，４ａの形状を変えたこと以外は、図１に示すネジ山修正用工具１と同じ形状及び同じ構造に構成されており、図１に示すネジ山修正用工具１と同じ部位・部材には同一の参照番号を付し、その詳細な説明を省略する。このネジ山修正用工具１も、図１に示すネジ山修正用工具１と同様の作用効果を奏することができる。
【００４２】
図１３は本発明の第４の実施形態に係るネジ山修正用工具１を示し、当該ネジ山修正用工具１は、ダイス２を四角形のダイスを直径方向に二分割して形成した二つのダイス片２′，２′から構成し、又、両操作レバー４，４の保持片４ａ，４ａの形状を四角形の角ダイスの外面に沿う形状に形成すると共に、両保持片４ａ，４ａの内面に角形のダイス片２′，２′の外周縁部の形状に合致してダイス片２′，２′が着脱自在に嵌合される凹部４ｃ，４ｃを形成したものである。
このネジ山修正用工具１は、ダイス２の形状及び保持片４ａ，４ａの形状を変えたこと以外は、図１に示すネジ山修正用工具１と同じ形状及び同じ構造に構成されており、図１に示すネジ山修正用工具１と同じ部位・部材には同一の参照番号を付し、その詳細な説明を省略する。このネジ山修正用工具１も、図１に示すネジ山修正用工具１と同様の作用効果を奏することができる。
【００４３】
尚、上記第１、第３及び第４の実施形態に於いては、操作レバー４，４を合成樹脂材により同一の大きさで且つ同一の形状及び同一の構造に形成したが、他の実施形態に於いては、操作レバー４，４を金属材により同一の大きさで且つ同一の形状及び同一の構造に形成しても良く、或いは二つの操作レバー４，４を夫々異なる形状及び構造に形成するようにしても良い。又、第２の実施形態に於いては、二つの操作レバー４，４を夫々異なる形状及び構造に形成するようにしたが、他の実施形態に於いては、二つの操作レバー４，４を合成樹脂材又は金属材により同一の大きさで且つ同一の形状及び同一の構造に形成するようにしても良い。
【００４４】
上記第２の実施形態に於いては、ダイス２を円形の丸ダイスを直径方向に二分割して形成した二つのダイス片２′，２′から構成し、又、両操作レバー４，４の保持片４ａ，４ａの形状を丸ダイスの外面に沿う形状に形成すると共に、両保持片４ａ，４ａの内面に丸形のダイス片２′，２′の外周縁部の形状に合致してダイス片２′，２′が着脱自在に嵌合される凹部４ｃ，４ｃを形成するようにしたが、他の実施形態に於いては、ダイス２を六角形又は四角形のダイスを直径方向に二分割して形成した二つのダイス片２′，２′から構成し、又、両操作レバー４，４の保持片４ａ，４ａの形状を六角形又は四角形の角ダイスの外面に沿う形状に形成すると共に、両保持片４ａ，４ａの内面に角形のダイス片２′，２′の外周縁部の形状に合致してダイス片２′，２′が着脱自在に嵌合される凹部４ｃ，４ｃを形成するようにしても良い。
【００４５】
上記各実施形態に於いては、ダイス片２′，２′を二本の固定ネジ５で操作レバー４，４の保持片４ａ，４ａに固定するようにしたが、他の実施形態に於いては、ダイス片２′，２′を一本の固定ネジ５で操作レバー４，４の保持片４ａ，４ａに固定するようにしても良い。
【００４６】
上記各実施形態に於いては、弾性体６にコイルスプリングを使用するようにしたが、他の実施形態に於いては、弾性体６に板バネ（図示省略）を使用し、板バネを操作レバー４，４間に介設するようにしても良い。
【図面の簡単な説明】
【００４７】
【図１】本発明の第１の実施形態に係るネジ山修正用工具の正面図である。
【図２】ネジ山修正用工具のダイス及びクリップの保持部が開いた状態の正面図である。
【図３】図１のＡ−Ａ線断面図である。
【図４】ダイスの一部切欠正面図である。
【図５】クリップの正面図である。
【図６】クリップの保持部が開いた状態の正面図である。
【図７】クリップの側面図である。
【図８】クリップの縦断面図である。
【図９】本発明の第２の実施形態に係るネジ山修正用工具を示し、ダイス及びクリップの保持部が開いた状態の正面図である。
【図１０】本発明の第２の実施形態に係るネジ山修正用工具を示し、ダイス及びクリップの保持部が閉じた状態の正面図である。
【図１１】図９に示すネジ山修正用工具のクリップの縦断面図である。
【図１２】本発明の第３の実施形態に係るネジ山修正用工具の正面図である。
【図１３】本発明の第４の実施形態に係るネジ山修正用工具の正面図である。
【図１４】従来のネジ山修正器の正面図である。
【符号の説明】
【００４８】
１はネジ山修正用工具、２はダイス、２′はダイス片、２ｂは雌ネジ穴、３はクリップ、４は操作レバー、４Ａは保持部、４Ｂは把持部、４ａは保持片、４ｂは把持片、４ｃは凹部、４ｇは貫通穴、５は固定ネジ、６は弾性体、９はラチェット機構。
【図１】
2006175565.tif 000003
【図２】
2006175565.tif 000004
【図３】
2006175565.tif 000005
【図４】
2006175565.tif 000006
【図５】
2006175565.tif 000007
【図６】
2006175565.tif 000008
【図７】
2006175565.tif 000009
【図８】
2006175565.tif 000010
【図９】
2006175565.tif 000011
【図１０】
2006175565.tif 000012
【図１１】
2006175565.tif 000013
【図１２】
2006175565.tif 000014
【図１３】
2006175565.tif 000015
【図１４】
2006175565.tif 000016